(57)【特許請求の範囲】
【請求項１】
コンクリート中に埋設されるセパレーターと型枠中を貫通する雄ねじ棒が筒状ナットで連結され、この雄ねじ棒と一体に設けた外周寄りが次第に薄くなり、背面が平坦な鍔を有する鍔環が型枠に圧着され、かつ前記雄ねじ棒の外周と養生中のコンクリートとの間を緩衝するセパレーター側より型枠側が大径のテーパ状異径弾性材を介在させてあることを特徴とするＰコン代用構造。
【請求項２】
在来のＰコンとは径が逆形のコンクリートコンを在来のＰコンに代えて打設し、この打設部分と型枠中を貫通する雄ねじ棒の外周との間を緩衝するセパレーター側より型枠側が大径のテーパ状異径緩衝材を介在させてあり、かつ前記雄ねじ棒と一体に設けた外周寄りが次第に薄くなり、背面が平坦な鍔を有する鍔環が型枠に圧着されることを特徴とするＰコン代用構造。
【請求項３】
コンクリート中に埋設されるセパレーターの型枠側の端部を、型枠中を貫通する雄ねじ棒と一体に連結したテーパ付き栓の雌ねじ部に取り付け、このテーパ付き栓の外周と養生中のコンクリートとの間を緩衝するセパレーター側より型枠側が大径のテーパ状異径緩衝材を介在させてあり、前記テーパ付き栓の型枠側の端部外周を型枠の外面に圧着される凸部としてあり、前記テーパ付き栓をテーパ状に形成して抜取り易くしたことを特徴とするＰコン代用構造。
【発明の詳細な説明】
【技術分野】
【０００１】
本発明は、コンクリート型枠のＰコン代用構造に関する。
【背景技術】
【０００２】
図１０は、従来のセパレーターと型枠の全容を示す断面図であり、特許文献１ (実用登録第3169976 号）の図４と同じである。コンクリートＣ中に埋設されるセパレーターＳと型枠化Ｆ中を貫通した雄ねじ棒で連結されている。なお、ＰコンＰは、最終的にはコンクリートＣ中から除去される。Ｔはフォームタイ( 登録商標）部分である。このようにＰコンＰは最終的に除去されるので、跡に穴や窪みが残り、外観を阻害する。
【０００３】
図１１は、従来のセパレーターの各種類であり、セパレーターの両端にはＰコンＰが付属していて、型枠外面に密着するが、前記のように最終的にＰコンは除去される。このＰコンＰを除去した後のコンクリートＣの表面に穴や窪みが残るが、本発明の代用構造によれば、図１１の各セパレーターＳの両端にＰコンＰを除去した跡が残るので、跡の穴や窪みを埋めたり塞ぐ必用があり、その作業が負担になり、その人件費も大きい。
【先行技術文献】
【特許文献】
【０００４】
【特許文献１】実用登録第3169976 号
【発明の概要】
【発明が解決しようとする課題】
【０００５】
前記のように従来のセパレーターの両端に設けたＰコンでは、コンクリートＣの外面に、Ｐコンを除去した跡の穴や窪みが残り、この穴や窪みを埋めたり栓をする必要があり、人件費の負担も大きい。本発明の技術的課題は、Ｐコンを除去したあとの穴や窪みが残り、この穴や窪みを埋めたり栓をする必要があり、人件費の負担も大きい。本発明のＰコン代用構造によれば、面倒で複雑な作業を要せず、省略できる。
本発明の技術的課題は、前記のようなＰコン除去後の穴や窪みの原因となるＰコンを無くしたり小径とし、穴や窪みによる問題を解消したり軽減する。
【課題を解決するための手段】
【０００６】
本発明の技術的課題は次のような手段によって解決される。請求項１は、コンクリート中に埋設されるセパレーターと型枠中を貫通する雄ねじ棒が筒状ナットで連結され、この雄ねじ棒と一体に設けた外周寄りが次第に薄くなり、背面が平坦な鍔を有する鍔環が型枠に圧着され、かつ前記雄ねじ棒の外周と養生中のコンクリートとの間を緩衝するセパレーター側より型枠側が大径のテーパ状異径弾性材を介在させてあることを特徴とするＰコン代用構造である。
【０００７】
請求項２は、在来のＰコンとは径が逆形のコンクリートコンを在来のＰコンに代えて打設し、この打設部分と型枠中を貫通する雄ねじ棒の外周との間を緩衝するセパレーター側より型枠側が大径のテーパ状異径緩衝材を介在させてあり、かつ前記雄ねじ棒と一体に設けた外周寄りが次第に薄くなり、背面が平坦な鍔を有する鍔環が型枠に圧着されることを特徴とするＰコン代用構造である。
【０００８】
請求項３は、コンクリート中に埋設されるセパレーターの型枠側の端部を、型枠中を貫通する雄ねじ棒と一体に連結したテーパ付き栓の雌ねじ部に取り付け、このテーパ付き栓の外周と養生中のコンクリートとの間を緩衝するセパレーター側より型枠側が大径のテーパ状異径緩衝材を介在させてあり、前記テーパ付き栓の型枠側の端部外周を型枠の外面に圧着される凸部としてあり、前記テーパ付き栓をテーパ状に形成して抜取り易くしたことを特徴とするＰコン代用構造である。
【発明の効果】
【０００９】
請求項１のように、コンクリート中に埋設されるセパレーターと型枠中を貫通する雄ねじ棒が筒状ナットで連結され、かつ前記雄ねじ棒の外周と養生中のコンクリートとの間を緩衝するセパレーター側より型枠側が大径のテーパ状異径弾性材を介在させてあるので、雄ねじ棒が抜き易いだけでなく、型枠を共に除去した跡の穴や窪みは小径となり、跡処理が容易になる。また、雄ねじ棒と一体に設けた外周寄りが次第に薄くなり、背面が平坦な鍔を有する鍔環が型枠に圧着されて、コンクリート面が一面に揃い、美しい仕上がりとなる。
【００１０】
請求項２のように、在来のＰコンとは径が逆形のコンクリートコンを在来のＰコンに代えて打設し、この打設部分と型枠中を貫通する雄ねじ棒の外周との間を緩衝するセパレーター側より型枠側が大径のテーパ状異径緩衝材を介在させてあるので、前記雄ねじ棒を打設部分から容易に分離して、抜ける。しかも、前記雄ねじ棒と一体に設けた外周寄りが次第に薄くなり、背面が平坦な鍔を有する鍔環が型枠に圧着されるので、コンクリート面が一面に揃い、美しい仕上がりとなり、後始末も容易となる。
【００１１】
請求項３のように、コンクリート中に埋設されるセパレーターの型枠側の端部を、型枠中を貫通する雄ねじ棒と一体に連結したテーパ付き栓の雌ねじ部に取り付け、このテーパ付き栓の外周と養生中のコンクリートとの間を緩衝するセパレーター側より型枠側が大径のテーパ状異径緩衝材を介在させてあり、前記テーパ付き栓の型枠側の端部外周を型枠の外面に圧着される凸部としてあり、前記テーパ付き栓をテーパ状に形成して抜取り易くすると共に境界を緩衝する弾性材又は軟質材を介在させてあるので、雄ねじ棒を抜き取り易くなり、跡に残った穴や窪みも小さいので、跡処理も簡単になる。
【図面の簡単な説明】
【００１２】
【図１】本発明による鍔環付き雄ねじ棒を示す図である。
【図２】本発明による充填方法と鍔環付き方法を示す断面図である。
【図３】本発明による凸部付き方法を示す図である。
【図４】従来のＰコンの使用例である。
【図５】鍔環付き雄ねじ棒の具体例を示す断面図である。
【図６】鍔環付き雄ねじ棒の具体例を示す断面図である。
【図７】鍔環付き雄ねじ棒の具体例を示す断面図である。
【図８】鍔環付き雄ねじ棒の具体例を示す断面図である。
【図９】凸部付き方法の具体例を示す断面図である。実施例である。
【図１０】特許文献１ (実用新案登録第3169976 号」の図４（セパレーターと型枠の全容）を示す断面図である。
【図１１】従来のセパレーターの各種類を示す断面図である
【発明を実施するための形態】
【００１３】
次に本発明によるＰコン代用構造が実際上どのように具体化されるか実施形態を説明する。図１は本発明によるＰコン代用構造と鍔環付き構造が実際に分かるように具体化した断面図である。型枠Ｆの片側のみを示した図１において、鍔環１ａが外端に設けた絞め付け雄ねじ１ｃが形成された雄ねじ棒１と一体に形成されている。この雄ねじ棒１は型枠Ｆ中を貫通しており、内蔵された筒状ナット２の雌ねじでセパレーターＳと連結され、この筒状ナット２には、抜取防止のためのフランジ 2ｂを形成してある。
【００１４】
なお、参考までに述べると、鍔環１ａとも関連するか、型枠受け用鍔の厚さ及び大きさは強度上必要最低限の寸法以上で丸及び多角型で必要に応じて鉄の場合防錆処理を行う（勾配・曲面型枠には変形型で対応）。前記の筒状ナット２は、強度上必要な寸法の丸及び多角型（表面と同断面が必要に応じて鍔を付ける）である。筒状ナット２中の隙間２ａのように、ナット部分のネジの間は必要に応じてセパレーターの錆防止の為、壁を取付ける。また、ナットの鍔の厚み及び位置はフリーとする。
ナット等コミコン部分の材質は最も経済的な材料で金属、合成樹脂等の化学製品やそれらの組合せ品とする。長さは強度上必要に応じた長さとし、大きさも強度上必要に応じボルト以外は丸や多角型とする。また鉄の場合は必要に応じて防錆処理を行う。
【００１５】
使用に際して、図２の型枠Ｆの内側にセメントを充填すると、筒状ナット２はコンクリート中に残留したままとなるが、緩衝材層７が介在しているので、雄ねじ棒１は容易に抜ける。この雄ねじ棒１は型枠Ｆと共にコンクリートから分離されるが、鍔環１ａが有るため、型枠Ｆとコンクリートの表面が一面に揃う。
すなわち、鍔１ａが形成された鍔環１ａのコンクリート側面が前記型枠Ｆのコンクリート側面と揃うように、前記雄ねじ棒１の外端の雄ねじ１ｃを絞めて、鍔１ａが型枠の材質に圧着させる。なお、筒状ナット２は、型枠Ｆや雄ねじ棒１を取り外した後もコンクリート中に残り、コンクリート面は１０ｍｍ程度の穴や窪みが残るのみである。
【００１６】
この穴は、従来のＰコンを除去した後の大径の穴に代りが、図３のテーパ付き栓５を除去した跡にできる穴は１２ｍｍ程度の小型である。従って穴を塞いだり栓をする負担が軽減される。前記方法を実施する装置を図３に示す。Ｐコン部に代えてテーパ付き栓５を形成し、このテーパ付き栓５とその外側の充填域との間を緩衝する弾性材層７の軟質材を介在させて抜取りやすくしてあるので、在来の大径のＰコンは存在しない。
【００１７】
型枠中を貫通する雄ねじ棒と一体に連結したテーパ付き栓５の雌ねじ部５ｂにセパレーターＳを連結した代用構造は、型枠側の端部に凸部５ａを有し、反対側の端部にはねじ部５ｂを有し、その先端厚みは約１ｍｍ以上である。このテーパ付き栓５を簡易に取外せるように外周と充填部分との間を弾性材７のゴムや合成樹脂等の緩衝財等入れて緩衝する弾性材を介在させてあるので、在来のＰコンは省略出来、跡に残る穴や窪みが小さく、跡処理は簡単である。
【００１８】
テーパ付き栓５の外端に凸部５ａと雄ねじ棒１が一体型の抜取型コミコン５に形成されており、前記雄ねじ棒１の外端の雄ねじ５c を締めると、前記の凸部５ａが型枠の材質に圧着される。その結果、型枠10Ｆの内面が仕上がったコンクリート面にはＰコンの時の３０ｍｍより小さい１２ｍｍ程度の穴以外は平坦となり、一面に揃った美しい仕上がりとなる。なお、凸部５ａを圧着する型枠圧着部は、凹形の接着面となっている。
図３の型枠Ｆ中を貫通した雄ねじ棒の外端の雄ねじ部を絞め付けると、セパレーターＳと連結される。したがって、コンクリート中に埋設されるセパレーターＳと型枠Ｆ中を貫通した雄ねじ棒部の内端のナット部と一体に連結している構造となる。このナット部の型枠側端部が凸部５ａとなっていて前記型枠の材質に圧着される構成となっているため、コンクリートの養生を終えてコンクリート面が乾燥したら、型枠Ｆを解体除去後は一面が奇麗なコンクリート面となる。
【００１９】
図５乃至図８は鍔環式の具体例を示す図である。図４から図９は、両側の型枠Ｆ、Ｆを使用する例を示した例である。図６は、図２の充填構造を左右両枠に使用した例を示した図である。図７は、片側と他方が約６０度の角度を付けた例である。図８は、セパレーターと直接ナット（雌ネジ）を１体化した回転防止機構の平坦形状を設けた例である。図９は、図３のような凸部と充填材構造を左右両側に対称型に設けた例である。図９は、図３の一体型のコミコンとした例である。
【産業上の利用可能性】
【００２０】
以上のように、コンクリート中に埋設されるセパレーターと型枠中を貫通する雄ねじ棒が筒状ナットで連結され、この雄ねじ棒と一体に設けた鍔環が型枠に圧着され、かつ前記雄ねじ棒の外周と養生中のコンクリートとの間を緩衝する弾力材を介在させてあるので、雄ねじ棒を型枠と共に除去した跡の穴や窪みは小径となり、跡処理が容易になり、軽減される。また、前記雄ねじ棒と一体に連設された鍔環が型枠の材質中に圧入されて、コンクリート面が一面に揃い、美しい仕上がりとなる。
【００２１】
符号の説明
１．    雄ネジ棒
１ａ．  鍔環
１ｂ．  抜き取り用つまみ
１ｃ.   型枠側を少し太めにした雄ネジ部分
１ｄ.   ナット埋込型コンボルト型枠取外し用等つまみ
２．    筒状ナット（雌ネジ）
２ａ．  ナット埋込型コミコンナット仕切り壁
２ｂ．  フランジ
３．    ボルト等の抜取後穴の状態
４．    ナット埋込型コミコン＋コンクリートコン
５．    抜取型コミコン・テーパー付き栓
５ａ．  型枠接着面は圧着用の凹みを付けた抜取型コミコン
５ｂ．  雌ネジ部  （先端厚みは１ｍｍ以上強度の抜取型コミコン）
５ｃ.   六角ソケットレンチ用抜取型コミコン用つまみ
５ｄ.   抜取型コミコン型枠取外し用つまみ
Ｐ.     現在多く使用されている標準型Ｐコン
７．    ボルト抜取用緩衝材
Ｓ．    セパレーター
Ｓａ．  斜め型枠用セパレーター
Ｓｂ．  埋込ナット一体型セパレーター
Ｃ．    コンクリート打設部分
Ｆ．    型枠部分．
Ｔ．    フォームタイ（登録商標）
【要約】
【課題】コンクリートの中に埋設されるセパレーターと併用されるＰコンを使用すると、跡に穴や窪みが残り、外観を阻害する。この課題を解決したＰコン代用構造を実現して、Ｐコンを無くしたり小径にする。
【解決手段】セパレーターと型枠中を貫通する雄ねじ棒の外周とコンクリートとの間を緩衝する弾性材又は軟性材を介在させてあり、在来のＰコンは無い構造とする。また、大型工造物で使用するときに金具を補強し抜取やすくする為に逆形のコンクリートコン等を在来のＰコンの代わりに充填剤を充填し、この充填部分と型枠中を貫通する雄ねじ棒の外周との間を緩衝する弾性材又は軟質材を介在させて、在来のＰコンが無い構造とする。
【選択図】図１【図１】
0006960549.tif 000002
【図２】
0006960549.tif 000003
【図３】
0006960549.tif 000004
【図４】
0006960549.tif 000005
【図５】
0006960549.tif 000006
【図６】
0006960549.tif 000007
【図７】
0006960549.tif 000008
【図８】
0006960549.tif 000009
【図９】
0006960549.tif 000010
【図１０】
0006960549.tif 000011
【図１１】
0006960549.tif 000012